(57)【要約】本発明は一体型洗濯装置に関し、のせられた洗濯物を移送するように配置されたコンベヤと、コンベヤによって移送される洗濯物に洗濯水を吐出するように配置された少なくとも一つの洗濯ノズルを具備した洗濯部を含んでいることを特徴とする。
2020518425.tif 000002
【特許請求の範囲】
【請求項１】
のせられた洗濯物を移送するように配置されたコンベヤと、前記コンベヤによって移送される洗濯物に洗濯水を吐出するように配置された少なくとも一つの洗濯ノズルを具備した洗濯部を含んでいる一体型洗濯装置。
【請求項２】
前記洗濯物が繰り広げられてのせられられれば洗濯部で移送するように配置された供給コンベヤを具備する供給部（１００）と、前記洗濯部を通過した洗濯物をすすぐためにすすぎ水を吐出するように配置された少なくとも一つのすすぎノズルを具備したすすぎ部（５００）と、前記洗濯部またはすすぎ部（５００）を通過した洗濯物の水を絞るために洗濯物が通過するように上下に配置されたローラを具備した脱水部（６００）と、前記洗濯部またはすすぎ部（５００）または脱水部（６００）を通過した洗濯物を排出するように配置された排出部（７００）のうちの少なくとも一つをさらに含んでおり、前記洗濯部、すすぎ部（５００）、脱水部（６００）または排出部（７００）で運搬される洗濯物がコンベヤによって移送されるように構成されていることを特徴とする請求項１に記載の一体型洗濯装置。
【請求項３】
前記洗濯部は供給部（１００）で移送された洗濯物に洗濯水を吐出する第１洗濯ノズル（２１０）、第１洗濯ノズル（２１０）を通過した洗濯物が浸るすすぎ水槽(２２０)を具備する第１洗濯部（２００）と、前記すすぎ水槽(２２０)から排出されて移送される洗濯物を感知するように配置された感知センサ(３１０)と、感知された洗濯物に洗濯水を吐出するように配置された第２洗濯ノズル（３２０）を具備する第２洗濯部(３００)と、前記第２洗濯部(３００)を過ぎて移送される洗濯物に洗濯水を吐出するように配置された第３洗濯ノズル（４１０）を具備する第３洗濯部（４００）のうちの少なくとも一つを含んでおり、前記第１洗濯部（２００）、第２洗濯部(３００)または第３洗濯部（４００）の洗濯水には洗剤または繊維軟化剤が含まれるように構成されていることを特徴とする請求項２に記載の一体型洗濯装置。
【請求項４】
前記第２洗濯ノズル（３２０）は移送される洗濯物に対して垂直または移送方向に対して５〜４５°で洗濯水を吐出したり、移送反対方向に対して５〜４５°で洗濯水を吐出するように配置された第２ー１洗濯ノズル(３２１)、第２ー２洗濯ノズル(３２２)及び第２ー３洗濯ノズル(３２３)のうちの少なくとも一つを具備していることを特徴とする請求項３に記載の一体型洗濯装置。
【請求項５】
前記第３洗濯ノズル（４１０）は移送される洗濯物に対して垂直または移送方向に対して５〜４５°で洗濯水を吐出したり、移送反対方向に対して５〜４５°で洗濯水を吐出するように配置された第３ー１洗濯ノズル（４１１）、第３ー２洗濯ノズル（４１２）及び第３ー３洗濯ノズル（４１３）のうちの少なくとも一つを具備していることを特徴とする請求項３または４に記載の一体型洗濯装置。
【請求項６】
前記洗濯部は、第１洗濯ノズル（２１０）、すすぎ水槽(２２０)、第２洗濯ノズル（３２０）または第３洗濯ノズル（４１０）に供給される洗濯水に洗剤または繊維軟化剤を供給するように配置された洗剤タンク（２３０）及び繊維軟化剤タンク（４２０）のうちの少なくとも一つをさらに具備していることを特徴とする請求項３に記載の一体型洗濯装置。
【請求項７】
前記コンベヤは第１洗濯部（２００）から第２洗濯部(３００)にかけて洗濯物を移送するように多数のローラとこれらローラに巻かれて配置された第１ベルト（３３７）を具備した第１コンベヤ、第３洗濯部（４００）からすすぎ部（５００）にかけて洗濯物を移送するように多数のローラとこれらローラに巻かれるように配置された第２ベルト（４３４）を具備した第２コンベヤと、すすぎ部（５００）から脱水部（６００）にかけて洗濯物を移送するように多数のローラと第３ベルト（５４５）を具備した第３コンベヤのうちの少なくとも一つをさらに含んでいることを特徴とする請求項３に記載の一体型洗濯装置。
【請求項８】
前記第１コンベヤは供給部（１００）で移送された洗濯物が挟まれて通過するように対となって両立して配置された第１ローラ（３３０）と第２ローラ（３３１）、第１ローラ（３３０）および第２ローラ（３３１）を通過した洗濯物をすすぎ水槽(２２０)に浸るようにするためにすすぎ水槽(２２０)の内部に配置された第３ローラ（３３２）、すすぎ水槽(２２０)から排出された洗濯物の方向転換のために第２洗濯ノズル（３２０）の前方に配置された第４ローラ（３３３）、第２洗濯ノズル（３２０）の後方に配置された第５ローラ（３３４）と、第５ローラ（３３４）に巻かれた第１ベルト（３３７）が第１ローラ（３３０）で回帰するように配置された第６ローラ（３３５）および第７ローラ（３３６）のうちの少なくとも一つをさらに含んでいることを特徴とする請求項７に記載の一体型洗濯装置。
【請求項９】
前記第２コンベヤは第１コンベヤの上側に配置されて、第５ローラ（３３４）の近傍であり第５ローラ（３３４）に巻かれた第１ベルト（３３７）にテンションを加えるように配置された第８ローラ（４３０）、第３洗濯ノズル（４１０）の後方に配置された第１０ローラ（４３２）、第１０ローラ（４３２）に巻かれた第２ベルト（４３４）が第８ローラ（４３０）で回帰するように配置された第１１ローラ（４３３）と、第１ローラ（３３０）と第１１ローラ（４３３）に巻かれた第２ベルト（４３４）のテンションを提供するように配置された第９ローラ（４３１）のうちの少なくとも一つをさらに含んでいることを特徴とする請求項８に記載の一体型洗濯装置。
【請求項１０】
前記第３コンベヤは第２コンベヤの上側に配置されて、第１１ローラ（４３３）の近傍であり第１１ローラ（４３３）に巻かれた第２ベルト（４３４）にテンションを加えるように配置された第１２ローラ（５４０）、すすぎノズル（５１０）の後方に配置された第１３ローラ(５４１）および第１４ローラ（５４２）と、第１４ローラ（５４２）と第１２ローラ（５４０）に巻かれた第３ベルト（５４５）にテンションを加えるように配置された第１５ローラ（５４３）のうちの少なくとも一つをさらに含んでいることを特徴とする請求項９に記載の一体型洗濯装置。
【請求項１１】
前記第１ベルト（３３７）、第２ベルト（４３４）及び第３ベルト（５４５）は一般的な平ベルトまたは、洗濯水若しくはすすぎ水が通過できる網形態または穴が多数加工されたベルトであることを特徴とする請求項１０に記載の一体型洗濯装置。
【請求項１２】
洗剤を除去するためのうちの脱水機能を有する前記すすぎノズル（５１０）の少なくとも一ケ所に繊維軟化剤タンク（４２０）が連結構成されることを特徴とする請求項１０に記載の一体型洗濯装置。
【請求項１３】
前記脱水部（６００）は第３ベルト（５４５）にのせられて移送される洗濯物が通過して脱水されるように第１３ローラ(５４１）または第１４ローラ（５４２）の上側に配置された少なくとも一つの脱水ローラ（６１０）を含んでいることを特徴とする請求項１０に記載の一体型洗濯装置。
【請求項１４】
前記脱水部（６００）から排出された水を集水した後すすぎ部（５００）のすすぎノズル（５１０）で供給するように配置された第１集水槽（８００）、すすぎ部（５００）から排出された水を集水した後第２洗濯部(３００)の第２洗濯ノズル（３２０）及び第３洗濯部（４００）の第３洗濯ノズル（４１０）で供給するように配置された第２集水槽（８１０）と、第２洗濯部(３００)と第３洗濯部（４００）から排出された水を集水して第１洗濯部（２００）の第１洗濯ノズル（２１０）及びすすぎ水槽(２２０)で供給するように配置された第３集水槽（８２０）のうちの少なくとも一つを含んでいることを特徴とする請求項３に記載の一体型洗濯装置。
【発明の詳細な説明】
【技術分野】
【０００１】
本発明は洗濯装置に関し、より詳しくは洗濯、すすぎ及び脱水が一つの装置で連続で実行されるようにした一体型洗濯装置に関する。
【背景技術】
【０００２】
一般的に日常生活では多様な洗濯物が発生して、これら洗濯物は清潔で衛生的な生活のために周期的に洗濯することになる。
【０００３】
一般家庭ではふとん、毛布などのような寝具類や、カーペット、ソファの皮、カーテンのような大型洗濯物が発生して、これらを家庭で洗濯すること非常に困るので専門処理業者に依頼して洗濯工場で洗濯が行われている。
【０００４】
また、ホテル、工場、寮、修練院及び病院などのような多重利用施設で発生する洗濯物はその量が非常に多くて、比較的大型洗濯物の比重が大きくて主に専門処理業者及び洗濯工場で処理されている。
【０００５】
一方、洗濯工場では通常的に洗濯物を洗濯するために通常的にドラム方式の洗濯機を利用している。この洗濯機を利用した洗濯方式の場合、本の洗濯後排水、１次すすぎ後排水、２次すすぎ後排水、脱水後排水などで各工程を遂行するたびに使われた水がそのまま捨てられるので非常に多い量の水が使われるし、経済的に補完するために無分別な地下水を開発して使うことになって、水資源の浪費および汚染水排出によって環境に悪影響を及ぼすなどの問題点がある。
【０００６】
（従来技術の特許文献）
大韓民国公開特許第１０ー２００８ー０００５２２２号（２００８。０１。１０。公開）
大韓民国登録特許第１０ー０８２２６４４ 号 （２００８。０４。１６。公告）
【０００７】
一般的に日常生活では多様な洗濯物が発生して、これら洗濯物は清潔で衛生的な生活のために周期的に洗濯することになる。一般家庭ではふとん、毛布などのような寝具類や、カーペット、ソファの皮、カーテンのような大型洗濯物が発生して、これらを家庭で洗濯すること非常に困るので専門処理業者に依頼して洗濯工場で洗濯が行われている。
【０００８】
また、ホテル、工場、寮、修練院及び病院などのような多重利用施設で発生する洗濯物はその量が非常に多くて、比較的大型洗濯物の比重が大きくて主に専門処理業者及び洗濯工場で処理されている。
【０００９】
一方、洗濯工場では通常的に洗濯物を洗濯するために通常的にドラム方式の洗濯機を利用している。この洗濯機を利用した洗濯方式の場合、本の洗濯後排水、１次すすぎ後排水、２次すすぎ後排水、脱水後排水などで各工程を遂行するたびに使われた水がそのまま捨てられるので非常に多い量の水が使われるし、経済的に補完するために無分別な地下水を開発して使うことになって、水資源の浪費および汚染水排出によって環境に悪影響を及ぼすなどの問題点がある。
【発明の概要】
【発明が解決しようとする課題】
【００１０】
前記の問題点を解消するために案出された本発明の目的はコンベヤの上にのせられて移送する洗濯物に洗濯水を吐出させて洗濯して、すすぎ水を吐出させてすすぎして、ローラ間を通過して脱水されるようにすることによって、従来とは全く新しい方法で洗濯するようになった一体型洗濯装置を提供することにある。
【課題を解決するための手段】
【００１１】
前述された目的を達成するために本発明の一体型洗濯装置は、のせられた洗濯物を移送するように配置されたコンベヤとコンベヤによって移送される洗濯物に洗濯水を吐出するように配置された少なくとも一つの洗濯ノズルを具備した洗濯部を含んでいる。
【００１２】
また、本発明の一体型洗濯装置は、洗濯物が繰り広げられてのせられられれば洗濯部で移送するように配置された供給コンベヤを具備する供給部と、洗濯部を通過した洗濯物をすすぐためにすすぎ水を吐出するように配置された少なくとも一つのすすぎノズルを具備したすすぎ部と、洗濯部またはすすぎ部を通過した洗濯物の水を絞るために洗濯物が通過するように上下に配置されたローラを具備した脱水部と、洗濯部またはすすぎ部または脱水部を通過した洗濯物を排出するように配置された排出部中少なくとも一つをさらに含む。このとき、洗濯部、すすぎ部、脱水部または排出部で運搬される洗濯物はコンベヤによって移送される。
【００１３】
一方、洗濯部は供給部で移送された洗濯物に洗濯水を吐出する第１洗濯ノズルと、第１洗濯ノズルを通過した洗濯物が浸るすすぎ水槽を具備する第１洗濯部と、すすぎ水槽から排出されて移送される洗濯物を感知するように配置された感知センサと、感知された洗濯物に洗濯水を吐出するように配置された第２洗濯ノズルを具備する第２洗濯部と、第２洗濯部をすぎて移送される洗濯物に洗濯水を吐出するように配置された第３洗濯ノズルを具備する第３洗濯部のうちの少なくとも一つを含む。このとき、第１洗濯部、第２洗濯部または第３洗濯部の洗濯水には、洗剤または繊維軟化剤が含まれる。
【００１４】
また、第２洗濯ノズルは移送される洗濯物に対して垂直または移送方向に対して５〜４５°で洗濯水を吐出したり移送反対方向に対して５〜４５°で洗濯水を吐出するように配置された第２ー１洗濯ノズル、第２ー２洗濯ノズルと第２ー３洗濯ノズルのうち少なくとも一つを具備する。
【００１５】
また、第３洗濯ノズルは移送される洗濯物に対して垂直または移送方向に対して５〜４５°で洗濯水を吐出したり移送反対方向に対して５〜４５°で洗濯水を吐出するように配置された第３ー１洗濯ノズル、第３ー２洗濯ノズルと第３ー３洗濯ノズルのうち少なくとも一つを具備する。
【００１６】
そして洗濯部は第１洗濯ノズル、すすぎ水槽、第２洗濯ノズルまたは第３洗濯ノズルに供給される洗濯水に洗剤または繊維軟化剤を供給するように配置された洗剤タンクと繊維軟化剤タンクのうちの少なくとも一つをさらに具備する。
【００１７】
一方、コンベヤは第１洗濯部から第２洗濯部にかけて洗濯物を移送するように多数のローラとこれらローラに巻かれて配置された第１ベルトを具備した第１コンベヤ、第３洗濯部からすすぎ部にかけて洗濯物を移送するように多数のローラとこれらローラに巻かれるように配置された第２ベルトを具備した第２コンベヤと、すすぎ部から脱水部にかけて洗濯物を移送するように多数のローラと第３ベルトを具備した第３コンベヤのうちの少なくとも一つをさらに含んでいる。
【００１８】
ここで、第１コンベヤは供給部で移送された洗濯物が挟まれて通過するように両立して配置された第１ローラと第２ローラ、第１ローラおよび第２ローラを通過した洗濯物をすすぎ水槽に浸るようにするためにすすぎ水槽の内部に配置された第３ローラ、すすぎ水槽から排出された洗濯物の方向転換のために第２洗濯ノズルの前方に配置された第４ローラ、第２洗濯ノズルの後方に配置された第５ローラと、第５ローラに巻かれた第１ベルトが第１ローラで回帰するように配置された第６ローラおよび第７ローラのうちの少なくとも一つをさらに含んでいる。
【００１９】
また、第２コンベヤは第１コンベヤの上側に配置されて、第５ローラの近傍であり第５ローラに巻かれた第１ベルトにテンションを加えるように配置された第８ローラ、第３洗濯ノズルの後方に配置された第１０ローラ、第１０ローラに巻かれた第２ベルトが第８ローラで回帰するように配置された第１１ローラと、第１ローラと第１１ローラに巻かれた第２ベルトのテンションを提供するように配置された第９ローラのうちの少なくとも一つをさらに含んでいる。
【００２０】
また、第３コンベヤは第２コンベヤの上側に配置されて、第１１ローラの近傍であり第１１ローラに巻かれた第２ベルトにテンションを加えるように配置された第１２ローラ、すすぎノズルの後方に配置された第１３ローラおよび第１４ローラと、第１４ローラと第１２ローラに巻かれた第３ベルトにテンションを加えるように配置された第１５ローラのうちの少なくとも一つをさらに含んでいる。
【００２１】
このとき、第１ベルト、第２ベルトと第３ベルトは一般的な平たいベルトや、洗濯水またはすすぎ水が通過できる網形態または穴が多数加工されたベルトで構成されて、洗剤を除去するための脱水機能を有する前記すすぎノズル（５１０）の少なくとも一ケ所に繊維軟化剤タンク（４２０）が連結構成される。
【００２２】
そして脱水部は第３ベルトにのせられて移送される洗濯物が通過して脱水されるように第１３ローラまたは第１４ローラの上側に配置される少なくとも一つの脱水ローラを含んでいる。
【００２３】
一方、本発明による一体型洗濯装置は、脱水部から排出された水を集めた後すすぎ部のすすぎノズルで供給するように配置された第１集水槽、すすぎ部から排出された水を集めた後第２洗濯部の第２洗濯ノズルと第３洗濯部の第３洗濯ノズルで供給するように配置された第２集水槽と、第２洗濯部と第３洗濯部から排出された水を集めて第１洗濯部の第１洗濯ノズルおよびすすぎ水槽で供給するように配置された第３集水槽のうちの少なくとも一つを含んでいる。
【発明の効果】
【００２４】
前述された通り本発明によれば、コンベヤの上にのせられて移送する洗濯物に洗濯水を吐出させて洗濯して、すすぎ水を吐出させてすすぎして、ローラ間を通過して脱水されるようにすることによって、従来とは全く新しい洗濯方法で洗濯できる効果がある。
【００２５】
また、脱水された水をすすぎ水でリサイクルして、すすぎ水を洗濯水でリサイクルすることによって、工程ごとに水を廃水処理する従来より水の使用量を約５０％以上節約できる効果がある。そして第１洗濯ノズル、第２洗濯ノズルと第３洗濯ノズルが一定の角度を持つように配置することによって、一つの角度に配置された場合より洗濯物をより効率的に洗濯することができる。
【００２６】
本明細書で添付される次の図面は本発明の望ましい実施例を例示したことであり、発明の詳しい説明と共に本発明の技術思想を理解させる役割をすることであるから、本発明はそういう図面に記載された事項にだけ限定されて解釈されてはいけない。
【図面の簡単な説明】
【００２７】
【図１】図１は本発明の望ましい実施例にともなう一体型洗濯装置が概略的に図示された側面図である。
【図２】図２は図１の"Ａ"部の拡大図である。
【図３】図３は図１の"Ｂ"部の拡大図である。
【図４】図４は図１でリサイクル水処理工程を概略的に図示した構成図である。
【発明を実施するための形態】
【００２８】
以下では添付された図面を参照して本発明が属する技術分野で通常の知識を持った者が本発明を簡単に実施することができるように望ましい実施例を詳細に説明する。ただし、本発明の望ましい実施例に対する動作原理を詳細に説明するということにあって関連した公示機能または構成に対する具体的な説明が不必要だと判断される場合にはその詳細な説明を省略する。
【００２９】
<構成>
本発明の一体型洗濯装置は多数の区間で分けて配置されたコンベヤの上に洗濯物をのせて移送して、移送される洗濯物に洗濯水またはすすぎ水等をノズルで強く噴射して洗濯する新しい洗濯方式を提示している。このように洗濯物をコンベヤで移送して洗濯するためにコンベヤを駆動するためのモーターとノズルで洗濯水またはすすぎ水を吐出するように配置されたポンプなどを含んだ動力装置と、この動力装置を制御してノズルの噴射圧力および動作を制御するための制御部を含む。このとき、コンベヤのベルトは一般的に平たいベルトである事もあって、洗濯水またはすすぎ水が通過できる網形態または穴が多数加工されたベルトでもある。
【００３０】
以下ではこれに対する詳しい説明をすることにする。本発明の望ましい実施例による一体型洗濯装置は図１に図示された通り、供給部（１００）、第１洗濯部（２００）、第２洗濯部(３００)、第３洗濯部（４００）、すすぎ部（５００）、脱水部（６００）、排出部（７００）と、集水槽を含んでいる。ここで、図１は本発明の構成を理解しやすいように側面図が概略的に図示されている。ただし、カーテン及びカーペットなどの広い洗濯物の場合、これを完全に広げた状態または半分程度に折りたたまれた状態で移送して洗濯するためには一定の長さの幅を持つように配置されるということは当然である。
【００３１】
まず、供給部（１００）は第１洗濯部（２００）まで洗濯物を移送するように第１供給ルーラー（１１０）及び第２供給ローラ（１２０）と、供給ベルト（１３０）を具備した供給コンベヤを含む。この供給コンベヤは洗濯物を第１洗濯部（２００）で移送するように作動することができる。説明の便宜上第１洗濯部（２００）と近接して位置したローラを第２供給ローラ（１２０）と指し示すことにする。このとき、洗濯物は水平または上向きに傾斜するように配置された第１供給ローラ（１１０）で第２供給ローラ（１２０）方向に移送されることができる。
【００３２】
次に、第１洗濯部（２００）は供給部（１００）で供給された洗濯物を下処理洗濯するように配置される。この第１洗濯部（２００）は供給部（１００）で移送された洗洗濯物を入れるすすぎ水槽(２２０)、すすぎ水槽(２２０)まで移送する洗濯物に洗濯水を噴射するように配置された第１洗濯ノズル（２１０）と、洗剤タンク（２３０）を含むことができる。
【００３３】
第１洗濯ノズル（２１０）は供給部（１００）で供給されてすすぎ水槽(２２０)で移送される洗濯物に洗濯水を吐出するノズルである。この第１洗濯ノズル（２１０）には一つ以上の洗濯ノズルが配置されることができて、洗濯物の移送方向または反対方向に傾いて配置されたり洗濯物に垂直方向に配置されて洗濯水を吐出するように配置されることができる。このとき、洗濯物は第１コンベヤによって傾斜した下方で移送されることができる。ここで、第１コンベヤは第１洗濯部（２００）と第２洗濯部(３００)を連結して配置されることができて、これに対する説明は後述する。
【００３４】
すすぎ水槽(２２０)は供給部（１００）で供給された洗濯物が一時的に入れられる水槽である。このすすぎ水槽(２２０)には洗濯水が受容されて、この洗濯水に洗濯物が浸ってふやかすことができる。洗濯物がすすぎ水槽(２２０)に浸る時間は第１コンベヤの移送作動に従ったことで、第１コンベヤがしばらく間止まることによって洗濯物がすすぎ水槽(２２０)に一定時間の間浸ることもでき、第１コンベヤによって洗濯物が持続的に移送される少しの間のすすぎ水槽(２２０)に浸ることもできる。
【００３５】
洗剤タンク（２３０）は、洗濯水に供給される洗剤を保管するために少なくとも一つのタンクで構成されている。この洗剤タンク（２３０）の洗剤を第１洗濯ノズル（２１０）、第２洗濯ノズル（３２０）及び第３洗濯ノズル（４１０）で供給する洗濯水に供給するようにチューブまたはパイプが配置されることができる。
【００３６】
また、洗剤タンク（２３０）は洗剤の種類別に用意されることができる。また、洗剤タンク（２３０）は洗剤を供給する洗濯ノズル別に用意されることができて、一例として第１洗濯ノズル（２１０）、第２洗濯ノズル（３２０）及び第３洗濯ノズル（４１０）にそれぞれ違った洗剤を供給するように配置されることができる。このような洗剤タンク（２３０）は第１洗濯部（２００）はもちろん第２洗濯部(３００)と第３洗濯部（４００）にも共用で使われることができる。
【００３７】
次に、第２洗濯部(３００)は、第１洗濯部（２００）を通過した洗濯物を１次洗濯するように配置される。この第２洗濯部(３００)はすすぎ水槽(２２０)から出た移送される洗濯物を感知するように配置された感知センサ(３１０)、移送される洗濯物に洗剤が含まれた洗濯水を吐出するように配置された少なくとも一つの第２洗濯ノズル（３２０）と、洗剤タンク（２３０）を具備する。この第２洗濯ノズル（３２０）は一例として、洗濯物の移送方向側に対して５〜４５°程度傾いて配置された第２―１洗濯ノズル(３２１)および第２―２洗濯ノズル(３２２)と、洗濯物の移送方向反対側に対して５〜４５°程度傾いて配置された第２―３洗濯ノズル(３２３)を具備することができる。このとき、感知センサ(３１０)により洗濯物が感知されれば、約２〜５秒後第２―１洗濯ノズル(３２１)が洗濯水を吐出するように制御されることができる。
【００３８】
そして洗濯物の効率的な洗濯のために第２―１洗濯ノズル(３２１)と第２―３洗濯ノズル(３２３)は同じ方向に洗濯水を吐出するように配置されて、第２ー２洗濯ノズル(３２２)は逆方向に洗濯水を吐出するように配置されるなどの多様な形態に配置されることができる。もちろん、第２―１洗濯ノズル(３２１)、第２―２洗濯ノズル(３２２)と第２ー３洗濯ノズル(３２３)は洗濯物の移送方向側で同一に一定の角度傾いて配置されることもでき、少なくとも一つの洗濯ノズルが逆方向に一定の角度傾いて配置されることもできて、すべての洗濯ノズルが洗濯物に対して垂直に配置されることもできる。このような第２洗濯ノズル（３２０）の配置および角度は洗濯物の洗濯および洗濯物の流れを効率的に行うためである。洗剤タンク（２３０）は前述された説明に変える。
【００３９】
次に、第１洗濯部（２００）から第２洗濯部(３００)を通過するように洗濯物を移送する第１コンベヤに対して説明することにする。
【００４０】
第１コンベヤは多数のローラとベルトで構成されている。一例として第１ローラ（３３０）ないし第７ローラ（３３６）と、第１ベルト（３３７）を具備している。この第１コンベヤに対して第１ベルト（３３７）の移動方向すなわち、洗濯物の移送方向について説明することにする。もちろん、第１ベルト（３３７）は第１ローラ（３３０）、第３ローラ（３３２）、第４ーラ（３３３）、第５ローラ（３３４）、第６ローラ（３３５）と、第７ローラ（３３６）について巻かれて無限回転するように配置されることができる。また、第１ベルト（３３７）にテンションを提供するように別途のローラがさらに追加配置されることができる。
【００４１】
第１ローラ（３３０）と第２ローラ（３３１）は供給コンベヤの第２供給ローラ（１２０）近くに２つが両立して洗濯物が挟まれて通過するように配置されることができる。
【００４２】
また、第１ローラ（３３０）と第３ーラ（３３２）の間のベルトと点線で表示したことのように第２ローラ（３３１）と第３ローラ（３３２）が独立的に連動して駆動されるように構成されたベルトの間で洗濯物が安定的にすすぎ水槽(２２０)に進入することもできる。
【００４３】
第３ローラ（３３２）は洗濯物がすすぎ水槽(２２０)に完全に浸った後取り出されるようにすすぎ水槽(２２０)内部に配置されて第１ベルト（３３７）の方向を切り替えるように配置されることができる。
【００４４】
第４ローラ（３３３）は第３ローラ（３３２）を過ぎて急上昇する洗濯物が水平またはゆるやかな上昇方向に移送されるように第１ベルト（３３７）の方向を切り替えるように配置されることができる。
【００４５】
第５ローラ（３３４）は洗濯物が水平またはゆるやかな上昇方向に移送されるように第４ローラ（３３３）より高く配置されることができる。ここで、第４ローラ（３３３）と第５ローラ（３３４）の間をすぎていく洗濯物に洗濯水を吐出するための少なくとも一つのノズルを具備した第２洗濯ノズル（３２０）が配置されるし、この洗濯ノズル（３２０）に洗剤タンク（２３０）および繊維軟化剤タンク（４２０）が連結構成されることもできる。
【００４６】
第６ローラ（３３５）と第７ローラ（３３６）は無限軌跡を成し遂げるための第１ベルト（３３７）が第１ローラ（３３０）で回帰するように配置されることができる。このとき、第６ローラ（３３５）は第５ローラ（３３４）近傍であり下側に位置できて、第７ローラ（３３６）は第１ローラ（３３０）近傍または第３ローラ（３３２）近くに配置されることができる。もちろん、第６ローラ（３３５）と第７ローラ（３３６）は第５ローラ（３３４）に巻かれた第１ベルト（３３７）が干渉なしで第１ローラ（３３０）で回帰するように位置されるのは当然で、前述された位置以外の他の位置に配置されることもできる。
【００４７】
次に、第３洗濯部（４００）は第２洗濯部(３００)を通過した洗濯物を２次洗濯するように配置される。この第３洗濯部（４００）は第３洗濯ノズル（４１０）と第３洗濯ノズル（４１０）と連結構成された洗剤タンク（２３０）および繊維軟化剤タンクと第２コンベヤを含んでいる。
【００４８】
第３洗濯ノズル（４１０）は第２洗濯部(３００)を通過してすすぎ部（５００）まで移送される洗濯物に洗剤または繊維軟化剤が含まれた洗濯水を吐出することができるように配置される。この第３洗濯ノズル（４１０）は少なくとも一つの洗濯ノズルを含んでいる。一例として洗濯物の移送方向側で５〜４５°程度傾いて配置された第３―１洗濯ノズル（４１１）および第３―２洗濯ノズル（４１２）と、洗濯物の移送方向反対側で５〜４５°程度傾いて配置された第３―３洗濯ノズル（４１３）を具備することができる。
【００４９】
ここで、図１に図示された通り、第２洗濯部(３００)で移送される洗濯物の移送方向と第３洗濯部（４００）で移送される洗濯物の移送方向が反対方向であるから、洗濯ノズルやはり相互反対方向に配置されることができて、洗濯ノズルは傾いた方向を考慮して再配置されることができる。もちろん、洗濯物の効率的な洗濯と洗濯物の円滑な流れのために第３―１洗濯ノズル（４１１）と第３―３洗濯ノズル（４１３）は同じ方向に洗濯水を吐出するように配置されて、第３ー２洗濯ノズル（４１２）は逆方向に洗濯水を吐出するように配置されるなどの多様な形態に配置されることができる。
【００５０】
また、第３ー１洗濯ノズル（４１１）、第３ー２洗濯ノズル（４１２）と第３ー３洗濯ノズル（４１３）は洗濯物の移送方向側で同一に一定の角度傾いて配置される事もでき、少なくとも一つの洗濯ノズルが逆方向に一定の角度傾いて配置されることもできて、すべての洗濯ノズルが洗濯物に対して垂直に配置されることもできる。このように第１洗濯ノズル（２１０）、第２洗濯ノズル（３２０）と第３洗濯ノズル（４１０）が一定の角度を持つように配置することによって、一つの角度に配置された場合より洗濯物をより効率的に洗濯できるということと同時に洗濯物の流れを円滑にすることができる。
【００５１】
洗剤タンク（２３０）及び繊維軟化剤タンク（４２０）は少なくとも一つのタンクで構成されている。この洗剤タンク（２３０）および繊維軟化剤タンク（４２０）の洗剤または繊維軟化剤を第３ー１洗濯ノズル（４１１）ないし第３ー３洗濯ノズル（４１３）のうちの少なくとも一つのノズルに供給するようにチューブまたはパイプが配置される。また、必要に応じて洗剤タンク（２３０）は洗剤の種類別に用意されることもできる。このとき、繊維洗剤タンク（２３０）は各ノズル別に他の洗剤を供給するように配置されることもできる。
【００５２】
第２コンベヤは第２洗濯部および第３洗濯部を通過した洗濯物をすすぎ部（５００）まで移送するように配置される。この第２コンベヤは多数のローラとベルトで構成されている。一例として、第８ローラ（４３０）ないし第１１ローラ（４３３）と、第２ベルト（４３４）を具備している。この第２コンベヤに対して第２ベルト（４３４）の移動方向すなわち、洗濯物の移送方向について説明することにする。もちろん、第２ベルト（４３４）は第８ローラ（４３０）、第９ローラ（４３１）、第１０ローラ（４３２）と第１１ローラ（４３３）について巻かれて無限回転するように配置されることができる。
【００５３】
第８ローラ（４３０）は図１と図２で見るように、第２ベルト（４３４）が巻かれて、第５ローラ（３３４）の下側に配置される。この第８ローラ（４３０）は第５ローラ（３３４）の下側に近接するように位置されて第５ローラ（３３４）に巻かれた第１ベルト（３３７）にテンションを加えるように配置されることができる。このような配置によって第１ベルト（３３７）の上にのせられて第５ローラ（３３４）で移送される洗濯物は第５ローラ（３３４）と第８ローラ（４３０）の間を通過して自然に第２ベルト（４３４）の上に置かれることになって、第２ベルト（４３４）について移送することになる。
【００５４】
第９ローラ（４３１）は第８ローラ（４３０）に巻かれるように配置された第２ベルト（４３４）のテンションを提供するように配置される。この第９ローラ（４３１）は第８ローラ（４３０）近くに配置される事もでき、第１０ローラ（４３２）の間のある一ケ所に配置されることもできる。
【００５５】
第１０ローラ（４３２）は洗濯物が水平またはゆるやかな上昇方向に移送されるように第８ローラ（４３０）より高く配置されることができる。ここで、第８ローラ（４３０）と第１０ローラ（４３２）の間をすぎていく洗濯物に洗濯水を吐出するための少なくとも一つのノズルを具備した第３洗濯ノズル（４１０）が配置されることができる。
【００５６】
第１１ローラ（４３３）は第１０ローラ（４３２）の近くに配置されている。この第１１ローラ（４３３）は第１０ローラ（４３２）に巻かれた第２ベルト（４３４）が第８ローラ（４３０）で回帰するように配置されることができる。もちろん、第１１ローラ（４３３）は第２ベルト（４３４）が干渉なしで第１０ローラ（４３２）を回って第８ローラ（４３０）で回帰するように位置されるのは当然で、前述された位置以外の他の位置に配置されることもできる。
【００５７】
次に、すすぎ部（５００）は第３洗濯部（４００）を通過した洗濯物をすすぐと同時に中脱水機能を実施することができるように配置される。このすすぎ部（５００）は少なくとも一つのすすぎノズル（５１０）とすすぎローラ（５２０）、下部支持台（５３０）と第３コンベヤを含んでいる。
【００５８】
すすぎノズル（５１０）は第３洗濯部（４００）を通過して脱水部（６００）で移送される洗濯物にすすぎ水を吐出するように配置される。このすすぎノズル（５１０）は一つまたは日程間隔で多数配置されるし、ある一ケ所のすすぎノズル（５１０）は繊維軟化剤タンク（４２０）と連結構成される。
【００５９】
すすぎローラ又はノルロ（５２０）と下部支持台（５３０）はすすぎノズル（５１０）を通過した洗濯物を上下で押してすすぎ水を絞ることができる中脱水部材である。このすすぎノルロ（５２０）と下部支持台（５３０）は洗濯物移送方向に対してすすぎノズル（５１０）の前方または後方に位置されて、すすぎノズル（５１０）ごとに配置されることができる。一例として、すすぎノルロ（５２０）と下部支持台（５３０）は第３ベルト（５４５）の上にすすぎノルロ（５２０）が位置されて、第３ベルト（５４５）の下に下部支持台（５３０）が位置されて、第３ベルト（５４５）の上にのせられて移送する洗濯物の上下を押してすすぎ水を絞られるように配置されることができる。
【００６０】
第３コンベヤは第３洗濯部（４００）を通過した洗濯物を脱水部（６００）まで移送するように配置される。第３コンベヤは多数のローラとベルトで構成されている。一例として第１２ローラ（５４０）、第１３ローラ(５４１）、第１４ローラ（５４２）、第１５ローラ（５４３）、第１６ローラ（５４４）と、第３ベルト（５４５）を具備している。この第３コンベヤに対して第３ベルト（５４５）の移動方向すなわち、洗濯物の移送方向について説明することにする。もちろん、第３ベルト（５４５）は第１２ローラ（５４０）、第１３ローラ(５４１）、第１４ローラ（５４２）、第１５ローラ（５４３）と第１６ローラ（５４４）について巻かれて無限回転するように配置されることができる。
【００６１】
第１２ローラ（５４０）は図１と図３で見えるように、第３ベルト（５４５）が巻かれて、第１１ローラ（４３３）の下側に配置される。この第１２ローラ（５４０）は第１１ローラ（４３３）の下側に近接するように位置されて第１１ローラ（４３３）に巻かれた第３ベルト（５４５）にテンションを加えるように配置されることができる。このような配置によって第２ベルト（４３４）の上にのせられて第１１ローラ（４３３）で移送される洗濯物は第１１ローラ（４３３）と第１２ローラ（５４０）の間を通過して自然に第３ベルト（５４５）の上に置かれることになって、第３ベルト（５４５）について移送することになる。
【００６２】
第１３ローラ(５４１）は洗濯物が水平またはゆるやかな上昇方向に移送されるように第１２ローラ（５４０）より高く配置されることができる。ここで、第１２ローラ（５４０）と第１３ローラ(５４１）の間をすぎていく洗濯物にすすぎ水を吐出するための少なくとも一つのすすぎノズル（５１０）が配置されることができる。この第１３ローラ(５４１）は第１４ローラ（５４２）とともに洗濯物を脱水させる構成要素の一つで含まれることがあって、これに対する詳しい説明は後にする。
【００６３】
第１４ローラ（５４２）は第１３ローラ(５４１）の近くに配置される。この第１４ローラ（５４２）は第３ベルト（５４５）が巻かれて第１２ローラ（５４０）で回帰するように配置されることができる。このとき、第１４ローラ（５４２）は第１３ローラ(５４１）に平行するように配置されることもできる。
【００６４】
第１５ローラ（５４３）と第１６ローラ（５４４）はそれぞれ第１３ローラ(５４１）と第１２ローラ（５４０）の近くに配置される。この第１５ローラ（５４３）は第１４ローラ（５４２）に巻かれた第３ベルト（５４５）にテンションを加えるように配置されて、第１６ローラ（５４４）は第１２ローラ（５４０）で回帰する第３ベルト（５４５）にテンションを加えるように配置されることができる。ここで、第１５ローラ（５４３）と第１６ローラ（５４４）のうちのの一つだけ配置される事もでき、第１２ローラ（５４０）と第１４ローラ（５４２）の間のどこにも配置されることもできる。
【００６５】
次に、脱水部（６００）はすすぎ部（５００）を通過した洗濯物を圧搾して脱水するように配置される。この脱水部（６００）は少なくとも一つの脱水ローラ（６１０）を含んでいる。
【００６６】
脱水ローラ（６１０）は図１で見るように第１３ローラ(５４１）および／または第１４ローラ（５４２）の上に位置される。この脱水ローラ（６１０）は一例として、第１３ローラ(５４１）と近接するように配置されて、第３ベルト（５４５）にのせられて移送されて通過する洗濯物を第１３ローラ(５４１）とともに上下で強く絞られるように配置されることができる。
【００６７】
このような脱水ローラ（６１０）は第１４ローラ（５４２）と連係するように配置されることができて、別に第３ベルト（５４５）の上下に洗濯物が通過するように脱水用ローラを配置することもできる。
【００６８】
次に、排出部（７００）は脱水部（６００）を通過した洗濯物を排出するように第１排出ローラ（７１０）と第２排出ローラ（７２０）と排出ベルト（７３０）を具備した排出コンベヤを含む。説明の便宜上すすぎ部（５００）と近接して位置したローラを第１排出ローラ（７１０）と称することにする。このとき、洗濯物は水平または下方に傾斜するように配置された第１排出ローラ（７１０）で第２排出ローラ（７２０）方向に移送されることができる。
【００６９】
一方、この排出部（７００）には脱水部（６００）を通過した洗濯物を乾燥させるための構成が追加配置されることができる。一例として、排出部（７００）は脱水部（６００）を通過した洗濯物に熱風を提供するように配置された熱風機をさらに含むことができる。以外に脱水部（６００）と排出部（７００）の間に別途の乾燥部を追加配置して、熱風機などを含んだ乾燥装置などを配置することができる。
【００７０】
最後に、集水槽は第１集水槽（８００）、第２集水槽（８１０）と第３集水槽（８２０）を含んでいる。これら集水槽は相互連結されたり脱水部（６００）、すすぎ部（５００）、第３洗濯部（４００）、第２洗濯部(３００)と第１洗濯部（２００）のうちの少なくとも一つと通じるように連結されて配置されることができる。
【００７１】
第１集水槽（８００）は脱水部（６００）で脱水された水を集水するように配置される。この第１集水槽（８００）は集水された水をすすぎ部（５００）の洗濯水で使ったり追加的に第３洗濯部（４００）、第２洗濯部(３００)と第１洗濯部（２００）のうちの少なくとも一つの洗濯水で再使用するように配置されることができる。このために第１集水槽（８００）はすすぎノズル（５１０）、第３洗濯ノズル（４１０）、第２洗濯ノズル（３２０）、第１洗濯ノズル（２１０）とすすぎ水槽(２２０)のうちの少なくとも一つのノズルまたは水槽で集水された水を供給するように別途のチューブまたはパイプが配置されることもできる。
【００７２】
第２集水槽（８１０）はすすぎ部（５００）から排出された水を集水するように配置される。この第２集水槽（８１０）は集水された水を第３洗濯部（４００）、第２洗濯部(３００)と第１洗濯部（２００）のうちの少なくとも一つの洗濯水で再使用するように配置されることができる。このために第２集水槽（８１０）は第３洗濯ノズル（４１０）、第２洗濯ノズル（３２０）、第１洗濯ノズル（２１０）とすすぎ水槽(２２０)のうちの少なくとも一つのノズルまたは水槽で集水された水を供給するように別途のチューブまたはパイプが配置されることもできる。
【００７３】
第３集水槽（８２０）は第３洗濯部（４００）または第２洗濯部(３００)から排出された水を集水するように配置される。この第３集水槽（８２０）は集水された水を第１洗濯部（２００）に再使用するように配置されることができる。このために第３集水槽（８２０）は第１洗濯ノズル（２１０）とすすぎ水槽(２２０)に集水された水を供給するように別途のチューブまたはパイプが配置されることができる。
【００７４】
一例として、脱水部（６００）で脱水された水が第１集水槽（８００）に集水された後すすぎ部（５００）のすすぎノズル（５１０）に供給されて、すすぎ部（５００）から排出された水が第２集水槽（８１０）に集水された後第３洗濯部（４００）の第３洗濯ノズル（４１０）と第２洗濯部(３００)の第２洗濯ノズル（３２０）に供給されて、第３洗濯部（４００）と第２洗濯部(３００)から排出された水が第３集水槽（８２０）に集水された後第１洗濯部（２００）の第１洗濯ノズル（２１０）とすすぎ水槽(２２０)に供給されるように配置されることができる。以後の水は廃水処理されることができる。
【００７５】
従って、従来のように洗濯、すすぎ及び脱水工程で排出された水を廃水処理する場合に備えてみれば、本発明の場合、各工程で排出される水を再使用することによって、水の使用量を約５０％以下に節約することができる。これに対してもう少し詳しく説明すれば、一例として従来方法は１００ｋｇの洗濯機にベッドシート１２０枚を洗濯する場合、洗濯段階で５００リットル、すすぎ段階で５００リットル（２〜３回反復）および脱水段階で５００リットルで段階ごとに使われた水を廃水処理するので合計１.５トンないし２トンの水が使われた。反面、本発明の装置を利用する場合、洗濯、すすぎ及び脱水工程が進行される間水をリサイクルして１回だけ廃水処理されるので水使用量を約５０％以下に節約することができる。
【００７６】
以上で説明した通り、本発明が属する技術分野の通常の技術者は本発明がその技術的思想や必須特徴を変更しなくて他の具体的な形態で実施されることができるということを理解できるはずである。従って前述した実施例は例示的なものであり限定的なものではないこととして理解しなければならない。本発明の範囲は詳細な説明よりは後述する特許請求の範囲によって現わされて、特許請求の範囲の意味および範囲そして等価概念から導き出されるすべての変更または変形された形態が本発明の範囲に含まれると解釈されなければならない。
【符号の説明】
【００７７】
１００：供給部、１１０：第１供給ローラ、１２０：第２供給ローラ、１３０：供給ベルト、２００：第１洗濯部、２１０：第１洗濯ノズル、２２０：すすぎ水槽、２３０：洗剤タンク、３００：第２洗濯部、３１０：感知センサ、３２０：第２洗濯ノズル、３２１：第２ー１洗濯ノズル、３２２：第２ー２洗濯ノズル、３２３：第２ー３洗濯ノズル、３３０：第１ローラ、３３１：第２ローラ、３３２：第３ローラ、３３３：第４ローラ、３３４：第５ローラ、３３５：第６ローラ、３３６：第７ローラ、３３７：第１ベルト、４００：第３洗濯部、４１０：第３洗濯ノズル、４１１：第３ー１洗濯ノズル、４１２：第３―２洗濯ノズル、４１３：第３ー３洗濯ノズル、４２０：繊維軟化剤タンク、４３０：第８ローラ、４３１：第９ローラ、４３２：第１０ローラ、４３３：第１１ローラ、４３４：第２ベルト、５００：すすぎ部、５１０：すすぎノズル、５２０：すすぎノルロ、５３０：下部支持台、５４０：第１２ローラ、５４１：第１３ローラ、５４２：第１４ローラ、５４３：第１５ローラ、５４４：第１６ローラ、５４５：第３ベルト、６００：脱水部、６１０：脱水ローラ、７００：排出部、７１０：第１排出ローラ、７２０：第２排出ローラ、７３０：排出ベルト、８００：第１集水槽、８１０：第２集水槽、８２０：第３集水槽
【図１】
2020518425.tif 000003
【図２】
2020518425.tif 000004
【図３】
2020518425.tif 000005
【図４】
2020518425.tif 000006
【国際調査報告】
2020518425.tif 000007
2020518425.tif 000008
2020518425.tif 000009
2020518425.tif 000010
2020518425.tif 000011